(57)【特許請求の範囲】
【請求項１】
レンズ鏡筒を有するカメラボディ；
このカメラボディに、上記レンズ鏡筒の前方を覆う閉鎖位置と該レンズ鏡筒を露出させる開放位置とに移動可能に支持されたバリヤ；及び
光を発光することによりカメラに関する情報を発光表示する情報表示装置；
を備えたカメラにおいて、
上記情報表示装置は、
上記バリヤの表裏を貫通する貫通孔内に設けた光源；
該光源の前方に設けた、バリヤが開放位置と閉鎖位置のいずれに位置する場合もカメラの前面において露出する透光部材；
上記光源の発光を制御する、上記カメラボディ内に設けた光源制御部；及び
該光源制御部と上記光源を接続し、上記バリヤの開閉に伴う光源の移動に応じて変形するフレキシブルプリント基板；を備え、
上記フレキシブルプリント基板は、上記バリヤの進退方向と略平行な少なくとも一対の直線状部と、該直線状部を接続するＵ字状部とを有し、さらに、
該Ｕ字状部をバリヤ進退方向に牽引してフレキシブルプリント基板の弛みを除去する付勢手段を備えることを特徴とするカメラ。
【請求項２】
請求項１記載のカメラにおいて、上記フレキシブルプリント基板のＵ字状部は、カメラボディ内に形成されているカメラ。
【請求項３】
請求項１記載のカメラにおいて、上記バリヤはカメラボディの外面側に支持されており、
上記フレキシブルプリント基板のＵ字状部は、該バリヤとカメラボディの対向空間内に形成されているカメラ。
【請求項４】
請求項１記載のカメラにおいて、上記バリヤは、カメラボディの外面側に支持され、
上記カメラボディは、上記光源から延出したフレキシブルプリント基板をカメラボディ内に導くボディ開口を有し、該ボディ開口は、上記開放位置と閉鎖位置のいずれにおいても上記バリヤに覆われるオーバーラップ領域に形成され、
上記フレキシブルプリント基板は、さらに、
カメラボディを挟んで上記一対の直線状部と略平行に延設された第三の直線状部；及び
この第三の直線状部と上記一対の直線状部の一方を接続する、上記ボディ開口内に位置する第二のＵ字状部；
を有しているカメラ。
【請求項５】
請求項１記載のカメラにおいて、
上記バリヤはカメラボディの内面側に支持され、該バリヤに設けた光源及び透光部材は、
バリヤの開放位置と閉鎖位置の少なくとも一方でカメラボディに覆われ、さらに、
カメラボディは、このバリヤ側の光源及び透光部材を覆う位置にボディ側透光部を有するカメラ。
【請求項６】
請求項５記載のカメラにおいて、バリヤ側の光源及び透光部材は、該バリヤの開放位置でカメラボディに覆われ、
上記ボディ側透光部は、このバリヤ側の光源及び透光部材と重なる位置に形成した貫通孔と、該貫通孔に嵌まる透光部材とを有しているカメラ。
【請求項７】
請求項５記載のカメラにおいて、バリヤ側の光源及び透光部材は、該バリヤの開放位置と閉鎖位置のいずれにおいてもカメラボディに覆われ、
上記ボディ側透光部は、このバリヤ側の光源及び透光部材の全移動域に対応する開口部と、該開口部に嵌まる透光部材とを有しているカメラ。
【請求項８】
レンズ鏡筒を有するカメラボディ；
このカメラボディに、上記レンズ鏡筒の前方を覆う閉鎖位置と該レンズ鏡筒を露出させる開放位置とに移動可能に支持されたバリヤ；及び
光を発光することによりカメラに関する情報を発光表示する情報表示装置；
を備えたカメラにおいて、
上記情報表示装置は、
上記カメラボディの、上記開放位置と閉鎖位置の少なくとも一方で上記バリヤに覆われる位置に設けた光源；及び
この光源光が透過可能で、バリヤが開放位置と閉鎖位置のいずれに位置する場合もカメラの前面において露出する、バリヤに設けた透光部；を有することを特徴とするカメラ。
【請求項９】
請求項８記載のカメラにおいて、上記光源は、上記開放位置と閉鎖位置のいずれにおいても上記バリヤに覆われる、カメラボディ上のオーバーラップ領域に設けられており、
バリヤの透光部は、該バリヤの開放位置と閉鎖位置の両方で、上記光源の光を透過させるカメラ。
【請求項１０】
請求項９記載のカメラにおいて、上記バリヤの透光部は、
バリヤの表裏を貫通し、該バリヤの閉鎖位置または開放位置のいずれか一方において上記光源の前方に位置する貫通孔；及び
該貫通孔に嵌まる光出射部と、バリヤの閉鎖位置または開放位置の他方において上記光源から入射する光を該光出射部へ導く導光路とを有するライトガイド；
を有するカメラ。
【請求項１１】
請求項９記載のカメラにおいて、上記バリヤの透光部は、
バリヤの表裏を貫通し、該バリヤの閉鎖位置または開放位置のそれぞれで上記光源の前方に位置する一対の貫通孔；及び
該一対の貫通孔のそれぞれに嵌まる一対の透光部材；
を有するカメラ。
【請求項１２】
レンズ鏡筒を有するカメラボディ；
このカメラボディに、上記レンズ鏡筒の前方を覆う閉鎖位置と該レンズ鏡筒を露出させる開放位置とに移動可能に支持されたバリヤ；
上記カメラボディの、上記開放位置と閉鎖位置の少なくとも一方で上記バリヤに覆われる位置に設けたカメラに関する情報を発光表示する光源；及び、
この光源光が透過可能な、バリヤに設けた透光部；
を有することを特徴とするカメラ。
【発明の詳細な説明】
【０００１】
【技術分野】
本発明は、カメラボディにレンズ鏡筒の前方を開閉するバリヤ（カバー）を備えたカメラに関する。
【０００２】
【従来技術及びその問題点】
近年のカメラには、ＬＥＤ等を利用してセルフタイマーの作動状態や合焦確認といった情報表示を行う発光表示部が、カメラボディの前面に設けられている。一方、レンズ鏡筒の前方を覆う可動量の大きいフルカバー式のバリヤをカメラボディに設けた場合、こうした発光表示部の配置や形状が制限されるので、これを解決することが望まれている。
【０００３】
【発明の目的】
本発明は、発光表示部の配置や形状の自由度を高め、デザイン的に優れたフルカバー式のバリヤ付きカメラを得ることを目的とする。
【０００４】
【発明の概要】
本発明は、レンズ鏡筒を有するカメラボディ；このカメラボディに、上記レンズ鏡筒の前方を覆う閉鎖位置と該レンズ鏡筒を露出させる開放位置とに移動可能に支持されたバリヤ；及び光を発光することによりカメラに関する情報を発光表示する情報表示装置；を備えたカメラにおいて、上記情報表示装置は、上記バリヤの表裏を貫通する貫通孔内に設けた光源；該光源の前方に設けた、バリヤが開放位置と閉鎖位置のいずれに位置する場合もカメラの前面において露出する透光部材；上記光源の発光を制御する、上記カメラボディ内に設けた光源制御部；及び該光源制御部と上記光源を接続し、上記バリヤの開閉に伴う光源の移動に応じて変形するフレキシブルプリント基板；を備え、上記フレキシブルプリント基板は、上記バリヤの進退方向と略平行な少なくとも一対の直線状部と、該直線状部を接続するＵ字状部とを有し、さらに、該Ｕ字状部をバリヤ進退方向に牽引してフレキシブルプリント基板の弛みを除去する付勢手段を備えることを特徴とする。
【０００６】
情報表示装置は、バリヤ側に光源を設ける態様と、カメラボディ側に光源を設ける態様が可能である。
【０００７】
光源をバリヤに配する前者の態様では、バリヤの表裏を貫通する貫通孔内に光源を設け、この光源の前方に透光部材を設けることが望ましい。
【０００８】
バリヤ側に設けた光源は、フレキシブルプリント基板を介してカメラボディ内の光源制御部に接続することができる。
【００１０】
バリヤがカメラボディの外面側に支持される場合、カメラボディは、光源から延出したフレキシブルプリント基板をカメラボディ内に導くボディ開口を有し、該ボディ開口は、上記開放位置と閉鎖位置のいずれにおいても上記バリヤに覆われるオーバーラップ領域に形成され、フレキシブルプリント基板は、さらに、カメラボディを挟んで上記一対の直線状部と略平行に延設された第三の直線状部；及びこの第三の直線状部と上記一対の直線状部の一方を接続する、上記ボディ開口内に位置する第二のＵ字状部；を有しているのが望ましい。
【００１２】
また、光源をバリヤに配する態様では、カメラボディの内面側にバリヤを支持させることができる。この場合、該バリヤに設けた光源及び透光部材は、バリヤの開放位置と閉鎖位置の少なくとも一方でカメラボディに覆われ、該カメラボディが、このバリヤ側の光源及び透光部材を覆う位置にボディ側透光部を有する構成としてもよい。
例えば、バリヤ側の光源及び透光部材は、該バリヤの開放位置でカメラボディに覆われ、ボディ側透光部として、このバリヤ側の光源及び透光部材と重なる位置に形成した貫通孔と、該貫通孔に嵌まる透光部材とをカメラボディ側の透光部とを設けてもよい。
また、バリヤ側の光源及び透光部材は、該バリヤの開放位置と閉鎖位置のいずれにおいてもカメラボディに覆われ、ボディ側透光部として、このバリヤ側の光源及び透光部材の全移動域に対応する開口部と、該開口部に嵌まる透光部材とを設けてもよい。
【００１３】
光源をカメラボディに配した態様では、該光源が、開放位置と閉鎖位置の少なくとも一方でバリヤに覆われるようにし、この光源光が透過可能な透光部をバリヤに設けるとよい。
【００１４】
カメラボディ上の光源を、開放位置と閉鎖位置のいずれにおいてもバリヤに覆われるオーバーラップ領域に設け、バリヤの透光部が、該バリヤの開放位置と閉鎖位置の両方で光源の光を透過させるようにしてもよい。
例えば、バリヤの透光部として、バリヤの表裏を貫通し、該バリヤの閉鎖位置または開放位置のいずれか一方において光源の前方に位置する貫通孔と、該貫通孔に嵌まる光出射部と、バリヤの閉鎖位置または開放位置の他方において光源から入射する光を該光出射部へ導く導光路とを有するライトガイドとを設けることが可能である。
または、バリヤの透光部として、バリヤの表裏を貫通し、該バリヤの閉鎖位置または開放位置のそれぞれで光源の前方に位置する一対の貫通孔と、該一対の貫通孔のそれぞれに嵌まる一対の透光部材とを設けてもよい。
【００１６】
本発明のカメラは、レンズ鏡筒を有するカメラボディ；このカメラボディに、上記レンズ鏡筒の前方を覆う閉鎖位置と該レンズ鏡筒を露出させる開放位置とに移動可能に支持されたバリヤ；上記カメラボディの、上記開放位置と閉鎖位置の少なくとも一方で上記バリヤに覆われる位置に設けたカメラに関する情報を発光表示する光源；及び、この光源光が透過可能な、バリヤに設けた透光部；を有することを特徴としている。
【００１７】
【発明の実施の形態】
図１ないし図５を参照して、本発明の第一の実施形態を説明する。カメラ１０は、カメラボディ１１正面の略中央に撮影レンズを内蔵したレンズ鏡筒１２を有し、該レンズ鏡筒１２の上側には、撮影範囲の決定に用いるファインダ窓１４や、被写体輝度や被写体距離といった撮影条件を測定するための撮影条件測定窓１５などが形成されている。また、カメラボディ１１の正面には、ストロボ窓１６が設けられている。
【００１８】
カメラボディ１１内には、レンズ鏡筒１２を収納する鏡筒収納部１７が設けられ、該鏡筒収納部１７を挟んでパトローネ室１８と巻上スプール室１９が配置されている。パトローネ室１８に装填したフィルムパトローネから出たフィルムは、鏡筒収納部１７の後部に設けたアパーチャ枠２０の背後を通って巻上スプール室１９内の巻上スプールに巻き上げられる。図３ないし図５に一点鎖線で示す面Ｆは、アパーチャ枠２０後方におけるフィルム面の位置を表している。また、図４及び図５に示すように、カメラボディ１１内にはフィルム給送モータ２１、電池２２、メインコンデンサ２３等が配されている。
【００１９】
カメラボディ１１の正面には、スライド式のバリヤ３０が設けられている。バリヤ３０は、カメラボディ１１正面の上下に平行に設けた一対のガイド凹部２４に係合する一対のガイド凸部３１を有し、これらガイド凹部２４とガイド凸部３１の関係によって、バリヤ３０はカメラの左右方向にスライド可能に支持されている。バリヤ３０は、レンズ鏡筒１２、ファインダ窓１４及び撮影条件測定窓１５を露出させる図１の開放位置と、レンズ鏡筒１２、ファインダ窓１４及び撮影条件測定窓１５の前方に進出してこれらを覆う図２の閉鎖位置の間を移動する。
【００２０】
バリヤ３０には、カメラ正面側から見て右手側の縁部付近に、カメラに関する情報表示を発光により行うための発光表示部３２が設けられている。発光表示部３２の詳細は図４及び図５に示されており、バリヤ３０の表裏を貫通する貫通孔３４の表側に透光部材３５が取り付けられ、該透光部材３５の内側には、貫通孔３４内に位置させて、光源であるＬＥＤ３６が設けられている。透光部材３５は、透明または半透明材料からなるレンズ状の部材であり、ＬＥＤ３６の発光に応じて、その光を拡散してカメラ前方へ照射することができる。
【００２１】
ＬＥＤ３６は、バリヤ３０の内面側に延設されたＦＰＣ（フレキシブルプリント基板）３７を介して、カメラボディ１１内の発光制御基板（光源制御部）３８に接続されており、カメラボディ１１には該ＦＰＣ３７をカメラボディ１１内に導くためのボディ開口３９が形成されている。ＦＰＣ３７は、長い帯状をなし、バリヤ３０の内面に沿ってＬＥＤ３６から離間する方向に延出された後、ボディ開口３９を通して導かれたカメラボディ１１内でＵ字状に折り曲げられ、ＬＥＤ３６に接近する方向に直線状に延びて、半田付け部４３で発光制御基板３８に固定されている。カメラボディ１１内には、ＦＰＣ３７のＵ字状部３７ａを引っ張る引張ばね（付勢手段）４０が設けられている。引張ばね４０の一端部はカメラボディ１１内に固定され、他端部は、Ｕ字状部３７ａの内周面に接したローラー４１に固定されている。
【００２２】
したがって、バリヤ３０の開閉動作に応じてＬＥＤ３６の位置が移動したときに、ＦＰＣ３７は、引張ばね４０による引張力を受けてＵ字状部３７ａの位置を変化させ、このＵ字状部３７ａの前後における直線状部の長さの比率を変えることによって一定のテンションを保ち、弛みが吸収される。具体的には、バリヤ３０が図５の閉鎖位置にあるときは、カメラ左右方向におけるＦＰＣ３７の両端の接続位置（ＬＥＤ３６と半田付け部４３）が離れており、ＦＰＣ３７における、ＬＥＤ３６側の端部からＵ字状部３７ａまでの直線状部（バリヤ３０及びカメラボディ１１の内面に沿う直線状部）の長さが長くなっている。このとき、ＦＰＣ３７の、半田付け部４３側の端部からＵ字状部３７ａまでの直線状部（発光制御基板３８に沿う直線状部）の長さは短い。一方、図４の開放位置にバリヤ３０をスライドさせると、カメラ左右方向におけるＦＰＣ３７の両端の接続位置（ＬＥＤ３６と半田付け部４３）が接近するため、ＦＰＣ３７の長さが余ることになる。しかし、ＦＰＣ３７は、引張ばね４０の付勢力によってＵ字状部３７ａが図４中の右方に牽引されるため、ＬＥＤ３６側の端部からＵ字状部３７ａまでのＦＰＣ３７の直線状部と、半田付け部４３側の端部からＵ字状部３７ａまでの直線状部とが、それぞれ所定の長さに保たれる。したがって、ＦＰＣ３７は弛むことなくカメラボディ１１内に収納される。なお、Ｕ字状部３７ａはＦＰＣ３７上の固定領域を指すものではなく、ＦＰＣ３７の変形に応じて該Ｕ字状部３７ａの形成領域は変化する。
【００２３】
図４及び図５から分かるように、ボディ開口３９は、閉鎖位置と開放位置のいずれでもバリヤ３０がカメラボディ１１を覆っているオーバーラップ領域に形成されている。よって、バリヤ３０の開閉いずれの状態でも、ボディ開口３９がカメラ１０の外観に露出することはない。
また、図４及び図５から分かるように、ＦＰＣ３７におけるＬＥＤ３６側の端部からＵ字状部３７ａまでの直線状部は、バリヤ３０の内面とカメラボディ１１の内面という、カメラの前後方向（光軸方向）への２つの異なる面位置に沿って延設されるため、ボディ開口３９に対するＦＰＣ３７の進入角はバリヤ３０の進退方向に対して傾斜したものとなる。ボディ開口３９は、この傾斜するＦＰＣ３７をスムーズにガイドするため、その断面がＦＰＣ３７の進入方向に合わせて斜めに形成されている。
【００２４】
以上の構造により、本実施形態のカメラ１０では、バリヤ３０の開閉いずれの状態でも、該バリヤ３０に設けた発光表示部３２によってカメラに関する情報を表示することができる。よって、フルカバー式のバリヤを備えた場合でも発光表示部の配置や形状に制約を受けることがなく、カメラのデザインにとって有利となる。なお、発光表示部３２による情報表示は、セルフタイマーの作動状況や合焦情報など、任意のものとすることができる。
【００２５】
図６及び図７は、本発明の第二の実施形態を示す。以下の各実施形態においては、第一の実施形態と同一の部材または部分は同符号で示している。第二実施形態のカメラ１１０は、バリヤ１３０における発光表示部１３２の位置が先の第一実施形態と異なっており、発光表示部１３２は、正面から見てバリヤ１３０の左手側の縁部付近に設けられている。バリヤ上における位置を除き、発光表示部１３２の実質的な構造は前述の発光表示部３２と同様であり、バリヤ１３０の表裏を貫通する貫通孔１３４の表側にレンズ状の透光部材１３５が取り付けられ、該透光部材１３５の内側にＬＥＤ１３６が設けられている。
【００２６】
第一実施形態とは逆に、発光表示部１３２は、バリヤ１３０が閉じたときに、カメラの左右方向において半田付け部１４３に最も接近し、バリヤ１３０が開くにつれて該半田付け部１４３から徐々に離間する。これに対応させるため、ＦＰＣ１３７には２箇所のＵ字状部１３７ａ及び１３７ｂが形成されている。一方のＵ字状部１３７ｂは、カメラボディ１１１に形成したボディ開口１３９内に位置しており、ＬＥＤ１３６からカメラの中心（レンズ鏡筒１２）方向へ向けて延設されてきたＦＰＣ１３７を、レンズ鏡筒１２から離間する方向へ折り返している。他方のＵ字状部１３７ａは、前述のＵ字状部３７ａと同様に、カメラボディ１１１の内面に沿ってレンズ鏡筒１２から離間する方向へ延設されるＦＰＣ１３７の直線状部を、再びレンズ鏡筒１２への接近方向に折り曲げて発光制御基板１３８に沿わせるように機能する。ボディ開口１３９は、開放位置と閉鎖位置のいずれにおいてもバリヤ１３０によって覆われるオーバーラップ位置に形成されているため、カメラの外観に露出することはない。
【００２７】
この実施形態では、発光表示部１３２（ＬＥＤ１３６）とＵ字状部１３７ｂの間、Ｕ字状部１３７ｂ及びＵ字状部１３７ａの間、Ｕ字状部１３７ａと半田付け部１４３の間の各直線状部の長さ比率を変化させることによって、ＦＰＣ１３７がバリヤ１３０の開閉に対応することができる。Ｕ字状部１３７ａは、引張ばね１４０及びローラー１４１によってカメラの中心部（レンズ鏡筒１２）から離間する方向（図６及び図７の右方）に付勢されており、バリヤ３０が開閉いずれの位置にあってもＦＰＣ１３７には弛みが生じない。特に、発光表示部１３２が半田付け部１４３に接近する図７のバリヤ閉鎖状態では、カメラボディ１１１内でのＦＰＣ収納長が大きくなるが、引張ばね１４０によってＵ字状部１３７ａを引っ張ることにより、ＦＰＣ１３７の弛みを防いでいる。
【００２８】
図８及び図９は、本発明の第三の実施形態を示している。この実施形態のカメラ２１０では、バリヤ２３０における発光表示部２３２（貫通孔２３４、透光部材２３５、ＬＥＤ２３６）の位置は第一実施形態と同様であるが、ＦＰＣ２３７の取り回しが第一実施形態と異なっている。ＦＰＣ２３７はＵ字状部２３７ａ及び２３７ｂという２つのＵ字状部を有し、一方のＵ字状部２３７ｂは、第二実施形態のＵ字状部１３７ｂと同様に、開放位置と閉鎖位置のいずれにおいてもバリヤ２３０に覆われるボディ開口２３９内に位置しており、他方のＵ字状部２３７ａは、カメラボディ２１１内ではなく該カメラボディ２１１とバリヤ２３０の対向面間のスペースに配置されている。そして、ＦＰＣ２３７の弛みを除去するための引張ばね２４０は、このカメラボディ２１１とバリヤ２３０の間のスペースに設けられている。引張ばね２４０の付勢力は、引張ばね２４０の一端部が固定されるローラー２４１を介してＵ字状部２３７ａに作用し、ＦＰＣ２３７を図８及び図９の右方へ牽引している。バリヤ２３０には、引張ばね２４０の他端部が固定されるバリヤ端壁部５１が形成されている。
【００２９】
この実施形態のＦＰＣ取り回し構造では、バリヤ２３０の開閉時に、ＦＰＣ２３７のうちＵ字状部２３７ｂから半田付け部２４３までの長さは実質的に変化せず、Ｕ字状部２３７ａを挟んだ２つの直線状部（バリヤ２３０の内面に沿う直線状部とカメラボディ２１１の外面に沿う直線状部）の相対長さが変化する。ＦＰＣ２３７は、引張ばね２４０の引張力により常にテンションがかけられているため、この直線状部の相対長さが変化しても、弛みの発生が抑えられる。なお、可動部材であるバリヤ２３０に設けた引張ばね２４０は、図８のバリヤ開放時に最も長くなり、図９のバリヤ閉鎖時に最も短くなる。
【００３０】
図１０ないし図１４は、本発明の第四の実施形態を示している。この実施形態のカメラ３１０は、第一ないし第三の実施形態とは異なり、カメラボディ３１１の外面側ではなく内面側に支持されたタイプのバリヤ３３０を用いている。図１０ないし図１２に示すように、カメラボディ３１１正面には、レンズ鏡筒１２の前方にバリヤ進退開口５０が形成され、該バリヤ進退開口５０の奥側（カメラ内部側）に、互いに対向する一対の平行なガイド凹部３２４がカメラ左右方向へ向けて形成されており、この一対のガイド凹部３２４に対してバリヤ３３０の上縁部５２と下縁部５３が係合している。これら一対のガイド凹部３２４とバリヤ上縁部５２及び下縁部５３の嵌合関係により、バリヤ３３０はカメラの左右方向へスライド可能に支持される。
【００３１】
バリヤ３３０には、カメラの正面から見て右手側の縁部付近に発光表示部３３２が形成されている。発光表示部３３２は、バリヤ３３０の表裏を貫通する貫通孔内に透光部材３３５とＬＥＤ３３６を設けた構造となっており、ＬＥＤ３３６は、バリヤ３３０の表面から突出しないように、貫通孔内に埋設されている。ＬＥＤ３３６は、ＦＰＣ３３７を介してカメラボディ１１内の発光制御基板３３８（半田付け部３４３）に接続されている。ＦＰＣ３３７は、バリヤ３３０の内面に沿う直線状部と発光制御基板３３８の表面に沿う直線状部をＵ字状部３３７ａで接続しており、該Ｕ字状部３３７ａに係合するローラー３４１が引張ばね３４０によって図１３及び図１４の右方へ引っ張られることによって、図１３のバリヤ開放状態と図１４のバリヤ閉鎖状態のいずれでも弛まないようになっている。バリヤ３３０がカメラボディ３１１の内側に位置しているため、カメラボディ３１１には、第一ないし第三の実施形態のような、ＦＰＣを挿通させるためのボディ開口は形成されていない。
【００３２】
図１４のバリヤ閉鎖状態では、発光表示部３３２がカメラ正面に露出するため、ＬＥＤ３３６の発光時にはレンズ状の透光部材３３５を通して、ＬＥＤ光をカメラ前方に照射することができる。一方、図１３のようにバリヤ３３０を開くと、発光表示部３３２はカメラボディ３１１の内側に位置する。カメラボディ３１１には、このバリヤ開放時の発光表示部３３２の位置に対応させて、ボディ側透光部材５４が嵌まるボディ貫通孔５５が形成されており、バリヤ開放状態においても、バリヤ側とカメラボディ側の両透光部材３３５及び５４を通してＬＥＤ光を前方へ照射することができる。
【００３３】
図１５及び図１６は、本発明の第五の実施形態を示す。この実施形態のカメラ４１０は、第四の実施形態と同様にカメラボディ４１１の内側に支持され、バリヤ進退開口５０の内側に進退するタイプのバリヤ４３０を有する。バリヤ４３０の表裏を貫通する貫通孔内に配設した透光部材４３５とＬＥＤ４３６によって発光表示部４３２が構成されており、ＬＥＤ４３６は、ＦＰＣ４３７によって発光制御基板４３８（半田付け部４４３）と接続されている。ＦＰＣ４３７は、バリヤ４３０の内面に沿う直線状部と発光制御基板４３８の表面に沿う直線状部をＵ字状部４３７ａで接続しており、該Ｕ字状部４３７ａに係合するローラー４４１が引張ばね４４０によって図１５及び図１６の左方へ引っ張られることによって、図１５のバリヤ開放状態と図１６のバリヤ閉鎖状態のいずれでも弛まないようになっている。
【００３４】
発光表示部４３２は、バリヤ４３０の開放状態（図１５）と閉鎖状態（図１６）のいずれにおいてもカメラボディ４１１の内側に位置しており、外観に直接表れることはない。カメラボディ４１１には、この発光表示部４３２の移動範囲全域に対応するボディ開口５６が形成され、該ボディ開口５６に、バリヤ４３０側の透光部材４３５とは別のボディ側透光部材５７が嵌まっている。したがって、ＬＥＤ４３６の発光状態は、バリヤ側とボディ側の各透光部材４３５及び５７を介して観察することができる。
【００３５】
なお、カメラボディ４１１のボディ開口５６と透光部材５７は、バリヤ４３０側の発光表示部４３２の移動領域全体に対応して形成されているが、こうしたボディ側の透光部を、図１５のバリヤ閉鎖状態における発光表示部４３２との対応位置と、図１６のバリヤ開放状態における発光表示部４３２との対応位置にのみ形成し、その中間部分を非透光領域としてもよい。
【００３６】
図１７及び図１８は、本発明の第六の実施形態を示す。以上の第一ないし第五の実施形態では、いずれも可動のバリヤ側に発光装置の光源（ＬＥＤ）が設けられているが、この実施形態のカメラ５１０では、カメラボディ５１１側にＬＥＤ５３６が設けられている点が異なっている。ＬＥＤ５３６は、カメラボディ５１１に形成したボディ貫通孔６０の内側に配設されており、バリヤ５３０の開閉動作時にＬＥＤ５３６は移動しない。よって、ＬＥＤ５３６へ接続するための変形可能な帯状のＦＰＣや、該ＦＰＣの弛み防止機構は設けられていない。
【００３７】
ボディ貫通孔６０に臨むＬＥＤ５３６は、バリヤ５３０の開放状態（図１７）及び閉鎖状態（図１８）のいずれにおいても該バリヤ５３０に覆われている。バリヤ５３０には、その閉鎖状態においてカメラボディ５１１のボディ貫通孔６０の前方に位置するバリヤ貫通孔６１が形成されており、該バリヤ貫通孔６１にライトガイド６２の一端部に形成したレンズ状の光出射部６３が嵌まっている。ライトガイド６２はさらに、光出射部６３の近傍に位置する光反射面６４と、光出射部６３と反対側の端部に位置する光反射面６５を有しており、この一対の光反射面６４、６５の間は、バリヤ３０の内面に沿う直線状の導光部６６として形成されている。
【００３８】
図１８に示すように、バリヤ５３０の閉鎖状態では、ＬＥＤ５３６の前方にライトガイド６２の光出射部６３が位置するため、ＬＥＤ５３６を発光すると、光出射部６３を通してバリヤ５３０の前方にＬＥＤ光が照射され、発光状態を観察することができる。一方、バリヤ５３０を開くと、図１７に示すようにＬＥＤ５３６の前方にライトガイド６２の光反射面６５が位置する。この状態でＬＥＤ５３６を発光すると、ＬＥＤ光は、光反射面６５によって光反射面６４方向へ反射されてライトガイド６２の導光部６６に沿って進み、光反射面６４で再度反射されて光出射部６３から射出される。よって、バリヤ５３０の開閉いずれの状態でも、ライトガイド６２によってＬＥＤ光をバリヤ３０の外面側に導くことができる。
【００３９】
図１９及び図２０は、本発明の第七の実施形態を示す。この実施形態のカメラ６１０は、ＬＥＤ６３６がカメラボディ６１１側の固定部材である点で前記第六の実施形態と共通しており、単一のライトガイド６２に変えて、バリヤ６３０に２つのレンズ状の透光部材６７、６８を設けた点が異なる。一方の透光部材６７は、前述の光出射部６３と同様に、バリヤ６３０の閉鎖状態（図２０）においてＬＥＤ６３６に対向する位置に形成したバリヤ貫通孔６９に支持されており、バリヤ閉鎖時にＬＥＤ６３６を発光すると、該透光部材６７を通してバリヤ６３０の前方にＬＥＤ光が照射される。他方の透光部材６８は、バリヤ６３０の開放状態（図１９）においてＬＥＤ６３６に対向する位置に形成した別のバリヤ貫通孔７０に支持されており、バリヤ開放時にＬＥＤ６３６を発光すると、該透光部材６８を通してバリヤ６３０の前方にＬＥＤ光が照射される。
【００４０】
以上の各実施形態から明らかなように、本発明のバリヤ付きカメラでは、カメラの情報表示を行う発光装置の少なくとも一部をバリヤに設けたため、情報の表示態様（発光表示部の位置や形状）の自由度が高くなり、デザインや使用感に優れたカメラを得ることができる。
【００４１】
但し、本発明は図示実施形態に限定されるものではない。例えば、図２や図１１のカメラ正面図に示されるバリヤの発光表示部（透光部材）は縦長の楕円形状であるが、異なる形状としてもよい。また、同図では、バリヤが閉じた状態でストロボ窓１６は覆われていないが、バリヤが覆う対象は任意のものとすることができる。
【００４２】
【発明の効果】
以上から明らかなように、本発明によれば、発光表示部の配置や形状の自由度が高く、デザイン的に優れ、かつ、バリヤが開放位置と閉鎖位置のいずれに位置する場合も発光表示部（情報表示装置）がカメラの前面において露出するようにしたフルカバー式のバリヤ付きカメラを得ることができる。
【図面の簡単な説明】
【図１】本発明の第一実施形態のカメラの、バリヤ開放状態の正面図である。
【図２】同カメラのバリヤ閉鎖状態の正面図である。
【図３】図２のIII-III断面線に沿うカメラの縦断面図である。
【図４】図１のIV-IV断面線に沿うカメラの横断面図である。
【図５】図２のV-V断面線に沿うカメラの横断面図である。
【図６】本発明の第二実施形態のカメラの、バリヤ開放状態の横断面図である。
【図７】同カメラのバリヤ閉鎖状態の横断面図である。
【図８】本発明の第三実施形態のカメラの、バリヤ開放状態の横断面図である。
【図９】同カメラのバリヤ閉鎖状態の横断面図である。
【図１０】本発明の第四実施形態のカメラの、バリヤ開放状態の正面図である。
【図１１】同カメラのバリヤ閉鎖状態の正面図である。
【図１２】図１１のXII-XII断面線に沿うカメラの縦断面図である。
【図１３】図１０のXIII-XIII断面線に沿うカメラの横断面図である。
【図１４】図１１のXIV-XIV断面線に沿うカメラの横断面図である。
【図１５】本発明の第五実施形態のカメラの、バリヤ開放状態の横断面図である。
【図１６】同カメラのバリヤ閉鎖状態の横断面図である。
【図１７】本発明の第六実施形態のカメラの、バリヤ開放状態の横断面図である。
【図１８】同カメラのバリヤ閉鎖状態の横断面図である。
【図１９】本発明の第七実施形態のカメラの、バリヤ開放状態の横断面図である。
【図２０】同カメラのバリヤ閉鎖状態の横断面図である。
【符号の説明】
１０  １１０  ２１０  ３１０  カメラ
４１０  ５１０  ６１０  カメラ
１１  １１１  ２１１  ３１１  カメラボディ
４１１  ５１１  ６１１  カメラボディ
１２  レンズ鏡筒
１４  ファインダ窓
１５  撮影条件測定窓
１６  ストロボ窓
１７  鏡筒収納部
１８  パトローネ室
１９  巻上スプール室
２０  アパーチャ枠
２１  フィルム給送モータ
２２  電池
２３  メインコンデンサ
２４  ３２４  ガイド凹部
３０  １３０  ２３０  ３３０  バリヤ
４３０  ５３０  ６３０  バリヤ
３１  ガイド凸部
３２  １３２  ２３２  ３３２  ４３２  発光表示部
３４  １３４  ２３４  貫通孔
３５  １３５  ２３５  ３３５  ４３５  透光部材
３６  １３６  ２３６  ３３６  ＬＥＤ（光源）
４３６  ５３６  ６３６  ＬＥＤ（光源）
３７  １３７  ２３７  ＦＰＣ（フレキシブルプリント基板）
３３７  ４３７  ＦＰＣ（フレキシブルプリント基板）
３７ａ  １３７ａ  １３７ｂ  ２３７ａ  ２３７ｂ  Ｕ字状部
３３７ａ  ４３７ａ  Ｕ字状部
３８  １３８  ２３８  ３３８  ４３８  発光制御基板（光源制御部）
３９  １３９  ２３９  ボディ開口
４０  １４０  ２４０  ３４０  ４４０  引張ばね（付勢手段）
４１  １４１  ２４１  ３４１  ４４１  ローラー
４３  １４３  ２４３  ３４３  ４４３  半田付け部
５０  バリヤ進退開口
５１  バリヤ端壁部
５２  上縁部
５３  下縁部
５４  ボディ側透光部材
５５  ボディ貫通孔
５６  ボディ開口
５７  ボディ側透光部材
６０  ボディ貫通孔
６１  バリヤ貫通孔
６２  ライトガイド
６３  光出射部
６４  ６５  光反射面
６６  導光部
６７  ６８  透光部材
６９  ７０  バリヤ貫通孔
【図１】
0003793471.tif 000002
【図２】
0003793471.tif 000003
【図３】
0003793471.tif 000004
【図４】
0003793471.tif 000005
【図５】
0003793471.tif 000006
【図６】
0003793471.tif 000007
【図７】
0003793471.tif 000008
【図８】
0003793471.tif 000009
【図９】
0003793471.tif 000010
【図１０】
0003793471.tif 000011
【図１１】
0003793471.tif 000012
【図１２】
0003793471.tif 000013
【図１３】
0003793471.tif 000014
【図１４】
0003793471.tif 000015
【図１５】
0003793471.tif 000016
【図１６】
0003793471.tif 000017
【図１７】
0003793471.tif 000018
【図１８】
0003793471.tif 000019
【図１９】
0003793471.tif 000020
【図２０】
0003793471.tif 000021